(57)【要約】【課題】チャンネルの切り替え変更時に、一時的な切り替えのようにそれ以降でも変更前のチャンネル（元のチャンネル）の放送を視聴する蓋然性がある場合にそのチャンネルの録画動作を開始できるようにする。【解決手段】テレビ放送視聴機能付きの携帯電話装置には、２つのチャンネルのテレビ放送を同時に受信可能となるように２つのテレビ放送受信チューナ１３、１４を備えられている。条件データ格納部２２には、判定条件が記憶されている。つまり、現在テレビ放送を出力しているチャンネルから別のチャンネルへの切り替え変更が指示された際に変更前のチャンネルの放送内容をそれ以降も視聴する蓋然性があるか否かを判定するための判定条件が記憶されている。ＣＰＵ１はチャンネル変更が指示された際に、変更前のチャンネルが条件データ格納部２２に記憶されている条件を成立するかを判別し、条件成立の場合には変更前のチャンネルの放送内容を録画する録画動作を開始する。【選択図】  図１
2007288583.tif 000002
【特許請求の範囲】
【請求項１】
複数のチャンネルのテレビ放送を同時に受信可能なテレビ放送視聴装置であって、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する記憶手段と、
チャンネル変更が指示された際に、前記判定条件の成立有無を判別する判別手段と、
この判別手段によって条件が成立すると判別された際に、変更前のチャンネルの放送内容を録画する録画動作を開始させる制御手段と、
を具備したことを特徴とするテレビ放送視聴装置。
【請求項２】
複数のチャンネルのテレビ放送を同時に受信可能なテレビ放送視聴装置であって、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する記憶手段と、
チャンネル変更が指示された際に、前記判定条件の成立有無を判別する判別手段と、
この判別手段によって条件が成立すると判別された際に、変更前後における各チャンネルの放送内容の同時出力を開始させる制御手段と、
を具備したことを特徴とするテレビ放送視聴装置。
【請求項３】
複数のチャンネルのテレビ放送を同時に受信可能なテレビ放送視聴装置であって、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する記憶手段と、
チャンネル変更が指示された際に、前記判定条件の成立有無を判別する判別手段と、
この判別手段によって条件が成立すると判別された際に、変更前のチャンネルで放映中であったコマーシャルが終了したか否かを検出する検出動作を開始させる制御手段と、
を具備したことを特徴とするテレビ放送視聴装置。
【請求項４】
現在テレビ放送を出力しているチャンネルの出力時間を計測する時間計測手段を設け、
前記判定条件として時間が記憶されている場合に、前記判別手段は、チャンネル変更が指示された際に、前記時間計測手段によって得られた変更前のチャンネルの出力時間が前記判定条件としての時間以上か否かに基づいて条件の成立有無を判別する、
ようにしたことを特徴とする請求項1乃至３のうちその何れかに記載のテレビ放送視聴装置。
【請求項５】
現在テレビ放送を出力しているチャンネルの放送番組からその番組に関する番組情報を取得する取得手段を設け、
前記判定条件として番組内容を特定するための番組情報が記憶されている場合に、前記判別手段は、チャンネル変更が指示された際に、前記取得手段によって得られた変更前のチャンネルの番組情報が前記判定条件としての番組情報に該当するか否かに基づいて条件の成立有無を判別する、
ようにしたことを特徴とする請求項1乃至３のうちその何れかに記載のテレビ放送視聴装置。
【請求項６】
チャンネル変更が指示された際の切り替え時刻を取得する取得手段を設け、
前記判定条件として視聴時間帯が記憶されている場合に、前記判別手段は、チャンネル変更が指示された際に、前記取得手段によって得られた切り替え時刻が前記判定条件としての視聴時間帯に含まれるか否かに基づいて条件の成立有無を判別する、
ようにしたことを特徴とする請求項1乃至３のうちその何れかに記載のテレビ放送視聴装置。
【請求項７】
チャンネル変更が指示された際に、変更前のチャンネルでコマーシャルが放映中であるか否かを監視する監視手段を設け、
前記判定条件として前記監視手段が作動可能な状態に記憶されている場合に、前記判別手段は、チャンネル変更が指示された際に、前記監視手段による監視結果に基づいて条件の成立有無を判別する、
ようにしたことを特徴とする請求項1乃至３のうちその何れかに記載のテレビ放送視聴装置。
【請求項８】
前記判定手段によって条件が成立すると判別された際に、変更前のチャンネルでコマーシャル放送中であるかを監視すると共に、コマーシャル放送中であれば、それが終了したかを監視する監視手段を設け、
この監視手段によって変更前のチャンネルでコマーシャル放送が終了したことが検出された際に、前記制御手段は、当該変更前のチャンネルの放送内容を録画する録画動作を開始する、
ようにしたことを特徴とする請求項1記載のテレビ放送視聴装置。
【請求項９】
前記チャンネルを切り替え変更したのちに変更前のチャンネルに戻された際には、前記録画動作を継続しながら当該録画内容の再生を開始する、
ようにしたことを特徴とする請求項1記載のテレビ放送視聴装置。
【請求項１０】
前記チャンネル変更前後における各チャンネルの放送内容を同時出力させる際に、主画面に変更後のチャンネルの放送映像を表示出力させ、副画面に変更前のチャンネルの放送映像を表示出力させる、
ようにしたことを特徴とする請求項２記載のテレビ放送視聴装置。
【請求項１１】
チャンネルを切り替え変更したのちに前記コマーシャルの終了を検出する検出動作によってその終了が検出された際に、その旨を報知する報知動作を実行する、
ようにしたことを特徴とする請求項３記載のテレビ放送視聴装置。
【請求項１２】
チャンネルを切り替え変更したのちに前記コマーシャルの終了を検出する検出動作によってその終了が検出された際に、変更前のチャンネルに自動復帰させる復帰動作を実行する、
ようにしたことを特徴とする請求項３記載のテレビ放送視聴装置。
【請求項１３】
チャンネルを切り替え変更したのちに前記コマーシャルの終了を検出する検出動作によってその終了が検出された際に、変更後のチャンネルと共に変更前のチャンネルの放送映像を並列表示させる並行動作を実行する、
ようにしたことを特徴とする請求項３記載のテレビ放送視聴装置。
【請求項１４】
コンピュータに対して、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する機能と、
チャンネル変更が指示された際に、前記判定条件の成立有無を判別する機能と、
条件が成立すると判別された際に、変更前のチャンネルの放送内容を録画する録画動作を開始する機能と、
を実現させるためのプログラム。
【請求項１５】
コンピュータに対して、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する機能と、
チャンネル変更が指示された際に、前記判定条件の成立有無を判別する機能と、
条件が成立すると判別された際に、変更前後における各チャンネルの放送内容の同時出力を開始する機能と、
を実現させるためのプログラム。
【請求項１６】
コンピュータに対して、
現在テレビ放送を出力しているチャンネルから別のチャンネルへの切り替え変更が指示された際に変更前のチャンネルの放送内容をそれ以降も視聴する蓋然性があるか否かを判定するための判定条件を記憶する機能と、
チャンネル変更が指示された際に、前記判定条件の成立有無を判別する機能と、
条件が成立すると判別された際に、変更前のチャンネルで放映中であったコマーシャルが終了したか否かを検出する検出動作を開始する機能と、
を実現させるためのプログラム。
【発明の詳細な説明】
【技術分野】
【０００１】
この発明は、複数のチャンネルのテレビ放送を同時に受信可能なテレビ放送視聴装置及びプログラムに関する。
【背景技術】
【０００２】
テレビ放送の視聴時にコマーシャル（ＣＭ）放送が始まると、別のチャンネルに切り替えたのち、ＣＭ放送が終わる頃を見計らって元のチャンネルに戻す場合があるが、この戻し操作を忘れたり、遅れてしまうと、ＣＭ後の放送内容を見逃してしまうことがある。
そこで、従来では、別のチャンネルに切り替えたのち一定時間が経過した際に元のチャンネルに戻したり、元のチャンネルでのＣＭ放送が終了した際にそのチャンネルに戻したり、元のチャンネルの放送内容を録画しておき、そのチャンネルに戻った際に未視聴分の録画内容を再生するようにしたデジタル放送受信機が知られている（特許文献１参照）。
【特許文献１】特開２００３−８７６６７号公報
【発明の開示】
【発明が解決しようとする課題】
【０００３】
この先行技術にあっては、チャンネルが切り替えられる毎に特別な制御を行う必要があるほか、視聴者にも特別な操作を要求するものであった。
【０００４】
第１の発明の課題は、チャンネルの切り替え変更時に、一時的な切り替えのようにそれ以降でも変更前のチャンネル（元のチャンネル）の放送を視聴する蓋然性がある場合にそのチャンネルの録画動作を開始できるようにすることである。
第２の発明の課題は、チャンネルの切り替え変更時に、一時的な切り替えのようにそれ以降でも変更前のチャンネルの放送を視聴する蓋然性がある場合に変更前後における各チャンネルの同時出力を開始できるようにすることである。
第３の発明の課題は、チャンネルの切り替え変更時に、一時的な切り替えのようにそれ以降でも変更前のチャンネルの放送を視聴する蓋然性がある場合にそのチャンネル上でコマーシャル終了の検出動作を開始できるようにすることである。
【課題を解決するための手段】
【０００５】
請求項１記載の発明（第１の発明）は、複数のチャンネルのテレビ放送を同時に受信可能なテレビ放送視聴装置であって、現在テレビ放送を出力しているチャンネルから別のチャンネルへの切り替え変更が指示された際に変更前のチャンネルの放送内容をそれ以降も視聴する蓋然性があるか否かを判定するための判定条件を記憶する記憶手段と、チャンネル変更が指示された際に、前記判定条件の成立有無を判別する判別手段と、この判別手段によって条件が成立すると判別された際に、変更前のチャンネルの放送内容を録画する録画動作を開始させる制御手段とを具備したことを特徴とする。
更に、コンピュータに対して、上述した請求項１記載の発明に示した主要機能を実現させるためのプログラムを提供する（請求項１４記載の発明）。
【０００６】
なお、上述した請求項１記載の発明は次のようなものであってもよい。
現在テレビ放送を出力しているチャンネルの出力時間を計測する時間計測手段を設け、前記判定条件として時間が記憶されている場合に、前記判別手段は、チャンネル変更が指示された際に、前記時間計測手段によって得られた変更前のチャンネルの出力時間が前記判定条件としての時間以上か否かに基づいて条件の成立有無を判別する（請求項４記載の発明）。
【０００７】
現在テレビ放送を出力しているチャンネルの放送番組からその番組に関する番組情報を取得する取得手段を設け、前記判定条件として番組内容を特定するための番組情報が記憶されている場合に、前記判別手段は、チャンネル変更が指示された際に、前記取得手段によって得られた変更前のチャンネルの番組情報が前記判定条件としての番組情報に該当するか否かに基づいて条件の成立有無を判別する（請求項５記載の発明）。
【０００８】
チャンネル変更が指示された際の切り替え時刻を取得する取得手段を設け、前記判定条件として視聴時間帯が記憶されている場合に、前記判別手段は、チャンネル変更が指示された際に、前記取得手段によって得られた切り替え時刻が前記判定条件としての視聴時間帯に含まれるか否かに基づいて条件の成立有無を判別する（請求項６記載の発明）。
【０００９】
チャンネル変更が指示された際に、変更前のチャンネルでコマーシャルが放映中であるか否かを監視する監視手段を設け、前記判定条件として前記監視手段が作動可能な状態に記憶されている場合に、前記判別手段は、チャンネル変更が指示された際に、前記監視手段による監視結果に基づいて条件の成立有無を判別する（請求項７記載の発明）。
【００１０】
前記判定手段によって条件が成立すると判別された際に、変更前のチャンネルでコマーシャル放送中であるかを監視すると共に、コマーシャル放送中であれば、それが終了したかを監視する監視手段を設け、この監視手段によって変更前のチャンネルでコマーシャル放送が終了したことが検出された際に、前記制御手段は、当該変更前のチャンネルの放送内容を録画する録画動作を開始する（請求項８記載の発明）。
【００１１】
前記チャンネルを切り替え変更したのちに変更前のチャンネルに戻された際には、前記録画動作を継続しながら当該録画内容の再生を開始する（請求項９記載の発明）。
【００１２】
請求項２記載の発明（第２の発明）は、複数のチャンネルのテレビ放送を同時に受信可能なテレビ放送視聴装置であって、現在テレビ放送を出力しているチャンネルから別のチャンネルへの切り替え変更が指示された際に変更前のチャンネルの放送内容をそれ以降も視聴する蓋然性があるか否かを判定するための判定条件を記憶する記憶手段と、チャンネル変更が指示された際に、前記判定条件の成立有無を判別する判別手段と、この判別手段によって条件が成立すると判別された際に、変更前後における各チャンネルの放送内容の同時出力を開始させる制御手段とを具備したことを特徴とする。
更に、コンピュータに対して、上述した請求項２記載の発明に示した主要機能を実現させるためのプログラムを提供する（請求項１５記載の発明）。
【００１３】
なお、上述した請求項２記載の発明は、上述した請求項４〜７記載の発明のほか、前記チャンネル変更前後における各チャンネルの放送内容を同時出力させる際に、主画面に変更後のチャンネルの放送映像を表示出力させ、副画面に変更前のチャンネルの放送映像を表示出力させるようにしてもよい（請求項１０記載の発明）。
【００１４】
請求項３記載の発明（第３の発明）は、複数のチャンネルのテレビ放送を同時に受信可能なテレビ放送視聴装置であって、現在テレビ放送を出力しているチャンネルから別のチャンネルへの切り替え変更が指示された際に、変更前のチャンネルの放送内容をそれ以降も視聴する蓋然性があるか否かを判定するための判定条件を記憶する記憶手段と、チャンネル変更が指示された際に、前記判定条件の成立有無を判別する判別手段と、この判別手段によって条件が成立すると判別された際に、変更前のチャンネルで放映中であったコマーシャルが終了したか否かを検出する検出動作を開始させる制御手段とを具備したことを特徴とする。
更に、コンピュータに対して、上述した請求項３記載の発明に示した主要機能を実現させるためのプログラムを提供する（請求項１６記載の発明）。
【００１５】
なお、上述した請求項３記載の発明は、上述した請求項４〜７記載の発明のほか、次のような発明であってもよい。すなわち、チャンネルを切り替え変更したのちに前記コマーシャルの終了を検出する検出動作によってその終了が検出された際に、その旨を報知する報知動作を実行するようにしてもよい（請求項１１記載の発明）。また、チャンネルを切り替え変更したのちに前記コマーシャルの終了を検出する検出動作によってその終了が検出された際に、変更前のチャンネルに自動復帰させる復帰動作を実行するようにしてもよい（請求項１２記載の発明）。また、チャンネルを切り替え変更したのちに前記コマーシャルの終了を検出する検出動作によってその終了が検出された際に、変更後のチャンネルと共に変更前のチャンネルの放送映像を並列表示させる並行動作を実行するようにしてもよい（請求項１３記載の発明）。
【発明の効果】
【００１６】
第１の発明は、チャンネルの切り替え変更時に、一時的な切り替えのようにそれ以降でも変更前のチャンネルの放送を視聴する蓋然性がある場合にそのチャンネルの録画動作を実行することができ、チャンネル切り替えに伴う弊害（変更前の放送内容の見逃しなど）を効果的に防止することができる。
【００１７】
第２の発明は、チャンネルの切り替え変更時に、一時的な切り替えのようにそれ以降でも変更前のチャンネルの放送を視聴する蓋然性がある場合に変更前後における各チャンネルの同時出力を開始することができ、チャンネル切り替えに伴う弊害（変更前の放送内容の見逃しなど）を効果的に防止することができる。
【００１８】
第３の発明は、チャンネルの切り替え変更時に、一時的な切り替えのようにそれ以降でも変更前のチャンネルの放送を視聴する蓋然性がある場合にそのチャンネルでのコマーシャル終了の検出動作を開始することができ、チャンネル切り替えに伴う弊害（変更前の放送内容の見逃しなど）を効果的に防止することができる。
【発明を実施するための最良の形態】
【００１９】
（実施例１）
以下、図１〜図１０を参照して本発明の第１実施例を説明する。
この実施例は、携帯端末装置として携帯電話装置に適用した場合を例示したもので、図１は、このテレビ放送視聴機能付きの携帯電話装置の基本的な構成要素を示したブロック図である。この携帯電話装置には、通話機能、メール機能、インターネット接続機能（Ｗｅｂアクセス機能）などのほか、テレビ放送視聴機能、録画機能、再生機能などが備えられている。このテレビ放送視聴機能は、装置本体に内蔵されているダブルチューナによって２チャンネル分のテレビ放送を同時に受信可能なものであり、この実施例では２チャンネル分の放送内容を同時に出力したり、その一方を出力して他方を録画したり、２チャンネル分の同時録画を可能としている。録画機能は、受信したテレビ放送を録画（録音を含む）するものであり、再生機能は、録画されたテレビ放送を再生出力するもので、録画動作を継続しながら録画内容を追いかけるように再生出力する追っかけ再生を可能としている。
【００２０】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像・音声データの受送信機能、受信映像の録画／再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図５〜図７に示す動作手順に応じて本実施例を実現するためのプログラムが格納されている。
【００２１】
記録メディア３は、着脱自在な可搬型メモリで、画像データ、各種のデータ、プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成されている。このメモリ４には、後述する受信データ格納部２１、条件データ格納部２２、録画データ格納部２３、視聴時間タイマ２４などが設けられており、必要に応じてメモリ４内の各種のデータは、記憶部２にセーブされる。
【００２２】
電話通信部５は、携帯電話通信機能を構成するもので、アンテナ５Ａに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナ５Ａから発信出力させる。一方、メール送受信機能、テレビ放送受信機能、Ｗｅｂアクセス機能によって電話通信部５を介して受信取得した表示データは、表示制御部９を介してＬＣＤ（液晶表示装置）などを備えたメイン表示部１０に与えられて表示出力される。
【００２３】
メイン表示部１０は、文字情報、テレビ映像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、テレビ機能用としてテレビＯＮ／ＯＦＦキー、チャンネル切り替えキー、テレビ放送の録画を指示する録画開始キー、録画内容の再生を指示する再生キーなどを有している。なお、テレビ機能用の各キーは、メイン表示部１０のテレビ画面上に配置したタッチキーであってもよい。
【００２４】
２つのテレビ放送受信チューナ１３、１４は、携帯電話などの携帯受信機向けの地上波デジタルテレビ放送を受信するもので、テレビ映像及び音声情報以外にも電子番組表(ＥＰＧ)なども含めて受信可能である。テレビ放送受信チューナ１３、１４は、ＴＶアンテナ１５に接続されている受信部と、受信したテレビ放送を映像信号、音声信号に分離する増幅分離部と、圧縮データを解凍するデコード部などを有する構成となっており、このテレビ受信チューナ１３、１４から出力されたテレビ映像信号は、メイン表示部１０から表示出力され、また、テレビ音声信号は、内蔵スピーカ（高音圧スピーカ）１６から出力される。なお、テレビ放送受信チューナ１３、１４の小型化などを図るためにＯＦＤＭ（直交周波数分割多重）復調器を接続するようにしてもよい。なお、ＲＴＣ（リアルタイムクロックモジュール）１７は、時計部を構成するもので、ＣＰＵ１は、ＲＴＣ１７から現在日時を取得する。
【００２５】
図２は、受信データ格納部２１の内容を示した図である。
受信データ格納部２１は、地上波デジタルテレビ放送の番組内容（映像・音声データのほか、その番組に関する情報）を「チャンネル」、「属性」、「番組情報」、「映像・音声データ」として格納するもので、「チャンネル」は、受信チャンネルの識別番号を示し、図示の例は“１０”がセットされた場合である。「属性」は、受信放送の種別を示し、図示の例は“テレビ番組”がセットされた場合である。「番組情報」は、番組に関する各種の情報として「ジャンル名」、「番組名」、「日時」の項目を有するもので、図示の例は、「ジャンル名」として“サッカー”、「番組名」として“対戦チーム名”、「日時」として“放送日時” がセットされた場合である。
【００２６】
図３は、条件データ格納部２２の内容を示した図である。
条件データ格納部２２は、チャンネル切り替え変更が指示された際に変更前のチャンネルの放送内容をそれ以降も視聴する蓋然性があるか否かを判定するための判定条件を複数レコード分記憶可能なもので、この条件レコードは「視聴時間」、「番組情報」、「ＣＭ放送中」の項目を有する構成となっている。この判定条件は、チャンネル切り替え時の視聴者（ユーザ）の動向（視聴動向）を考慮して任意に設定されたもので、ＣＰＵ１は、チャンネル切り替え変更が指示された際に、変更前のチャンネル（元のチャンネル）が「視聴時間」、「番組情報」、「ＣＭ放送中」の条件（論理積条件）を満たしているかの条件成立の有無を判別し、条件成立時には変更前のチャンネルの放送内容を録画する録画動作を開始させるようにしている。
【００２７】
「視聴時間」は、チャンネル切り替え変更が指示されるまでに変更前のチャンネルの放送内容を継続して視聴していた時間を示し、この視聴時間が長ければ、その放送中にチャンネルを一時的に切り替えたとしてもそれ以降も引き続いて視聴する蓋然性が高くなるために、その判定条件として設定したものである。なお、図示の例では、全レコード共通の条件として「視聴時間」に“１０分以上”を設定した場合を示しているが、各レコード毎に異なる「視聴時間」を設定するようにしてもよい。
【００２８】
「番組情報」は、変更前のチャンネルの番組内容を示し、興味のある番組、好きな番組などの放送中にチャンネルを一時的に切り替えたとしてもそれ以降も引き続いて視聴する蓋然性が高くなるために、その判定条件として「ジャンル名」、「番組名」などを設定したものである。なお、図示の例において、１件目の条件は、「ジャンル名」のキーワードとして“サッカー”を設定した場合を示し、２件目の条件は、「ジャンル名」のキーワードとして“音楽番組”を設定し、３件目の条件は、「番組名」のキーワードとして“ドラマのタイトル”を設定し、４件目の条件は、「ジャンル名」のキーワードとして“野球”を設定した場合を示している。
【００２９】
「ＣＭ放送中」は、テレビコマーシャルの放映中にチャンネル切り替えが行われる頻度が高いために、ＣＭ放送中にチャンネルを一時的に切り替えたとしてもそれ以降を引き続いて視聴する蓋然性が高くなるために、その判定条件として“オン／オフ”のフラグが設定されたものである。ここで、図示の例において、１件目〜３件目の「ＣＭ放送中」には“オン”が設定され、４件目の「ＣＭ放送中」には“オフ”が設定されているが、野球放送の場合には、投手交代、代打などのようにＣＭ放送中でなくても、チャンネルを一時的に切り替えることがあるため、ＣＭ放送中以外でのチャンネル切り替えに対応するために「ＣＭ放送中」の条件として“オフ”のフラグを設定するようにしている。
【００３０】
図４は、録画データ格納部２３の内容を示した図である。
録画データ格納部２３は、条件データ格納部２２に記憶されている条件成立に伴って実行開始される変更前のチャンネルの録画動作中にその録画データが格納されるもので、録画毎に、その「チャンネル」、「録画中フラグ」、「録画日時」、「属性」、「番組情報」、「映像・音声データ」を記憶する構成となっている。なお、「チャンネル」は、録画対象のチャンネル、「録画中フラグ」は、録画中“１”／録画完了“０”を示し、「番組情報」は、「ジャンル名」、「番組名」、「日時」の項目を有している。
【００３１】
次に、この第１実施例におけるテレビ放送視聴時の動作概念を図５〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３２】
図５は、テレビ放送視聴機能が起動されて視聴開始が指示された際に実行されるテレビ放送視聴時の動作を示したフローチャートである。
先ず、ＣＰＵ１は、テレビ放送受信チューナ１３、１４の何れか一方を作動させて現在選局されているチャンネルの放送受信を開始すると共に（ステップＡ１）、受信したテレビ番組の映像データをメイン表示部１０から出力させ、音声データを内蔵スピーカ１６から出力させる（ステップＡ２）。そして、現在のチャンネルの放送内容を視聴している時間を計測するために視聴時間計測処理に移り、メモリ４内の視聴時間タイマ（加算型のソフトタイマ）２４をクリアスタートさせる（ステップＡ３）。
【００３３】
この状態において、条件データ格納部２２に任意の条件データを記憶するための条件設定がユーザ指示された際には（ステップＡ４でＹＥＳ）、次の条件設定処理に移る（ステップＡ５）。この場合、図８（Ａ）〜（Ｃ）に示すような条件設定画面が表示されるので、この設定画面内に条件データを順次設定してゆく。なお、設定画面には、入力した条件データを確定させる決定ボタンＢＴ０が設けられている。（Ａ）は、視聴時間の設定画面であり、「視聴時間」の入力を促すガイダンス表示に応じて所望する「視聴時間」を入力すると、（Ｂ）に示す番組情報の設定画面に切り替え表示される。
【００３４】
この番組情報の設定画面には「番組情報」の各項目が選択候補として一覧表示されており、この一覧表示の中から任意の項目を選択指定すると、選択項目対応の設定画面に切り替え表示される。（Ｃ）は、「ジャンル名」の項目を選択した場合の設定画面であり、この入力領域内に所望する「ジャンル名」のキーワードを入力する。以下、「番組情報」の項目を任意に選択しながらその項目データを入力する。そして、「ＣＭ放送中」の条件データとしてその“オン／オフ”を入力設定する。このようにして入力された「視聴時間」、「番組情報」、「ＣＭ放送中」に基づいて条件レコードが生成されて条件データ格納部２２に記憶される。
【００３５】
このテレビ放送出力中にＣＰＵ１はチャンネル切り替え操作が行われたかをチェックし（ステップＡ６）、現在放送出力中のチャンネルから別のチャンネル（新チャンネル）への切り替えが指示された際には、後述するチャンネル切替処理に移り（ステップＡ７）、ＣＭ検出タイミング（例えば、１秒間隔）に達した際には（ステップＡ８でＹＥＳ）、後述するＣＭ検出処理に移る（ステップＡ９）。また、視聴終了を指示する終了操作が行われた場合には（ステップＡ１０でＹＥＳ）、テレビ出力／録画出力を停止させる視聴終了処理が行われるが（ステップＡ１１）、その他の操作が行われた場合には（ステップＡ１２でＹＥＳ）、この操作キー対応の処理として、例えば、表示調整、音量調整などの処理が行われる（ステップＡ１３）。
【００３６】
図６は、チャンネル切替処理を詳述したフローチャートである。
先ず、ＣＰＵ１は、チャンネル切り替え操作に応答して視聴時間タイマ２４の計測動作を終了させたのち（ステップＢ１）、条件データ格納部２２をアクセスし（ステップＢ１）、その各条件レコード内の「番組情報」と、チャンネル切り替え時に変更前のチャンネルで放送されていた番組の「番組情報」とを比較し、何れかの条件の「番組情報」と一致するかを判別する（ステップＢ２）。ここで、何れの条件にも不一致であれば（ステップＢ２でＮＯ）、条件不成立として変更前におけるチャンネルの放送受信を終了させる（ステップＢ３）。
【００３７】
いま、変更前のチャンネルの番組内容が何れかの「番組情報」の条件に一致すれば（ステップＢ２でＹＥＳ）、例えば、図３に示すような条件が記憶されている場合に、変更前のチャンネルの番組が“サッカー”であれば、１件目のレコードの「番組情報」と一致するため、該当する条件レコードから「視聴時間」を読み出すと共に（ステップＢ４）、視聴時間タイマ２４からその計測時間を取得し（ステップＢ５）、この計測時間は「視聴時間」以上かをチェックする（ステップＢ６）。
【００３８】
ここで、「視聴時間」未満であれば、条件不成立として変更前のチャンネルの放送受信を終了させるが（ステップＢ３）、「視聴時間」以上であれば、該当するレコード（１件目の条件レコード）から「ＣＭ放送中」のフラグを読み出してその“オン／オフ”をチェックし（ステップＢ７）、ここで、「ＣＭ放送中」のフラグが“オフ”されている場合には、この時点で条件成立が検出されるが、そのフラグが“オン”されている場合には、受信データ格納部２１を参照し、チャンネル切り替え時に変更前のチャンネルではＣＭ放送中であるかを調べる（ステップＢ８）。ここで、ＣＭ放送中でなければ、条件不成立として変更前のチャンネルの放送受信を終了させるが（ステップＢ３）、ＣＭ放送中であれば、条件成立が検出される。
【００３９】
すなわち、図３の例において、１０分以上観戦しているサッカー番組の途中でＣＭ放送に移った際に、このＣＭ放送中にチャンネルが切り替えられた時点で条件成立が検出される。また、１０分以上観戦している野球番組の途中でチャンネルが切り替えられたときには、ＣＭ放送中であるか否かに拘らず、条件成立が検出される。このように条件成立を検出すると、メモリ４内の「条件成立フラグ」を“オン”させたのち（ステップＢ９）、変更前のチャンネルで放送中の番組内容を録画する録画動作を開始させる（ステップＢ１０）。なお、この録画開始時にその番組が終了直前であれば（例えば、終了５分前）、その録画を自動的に開始せず、その旨をメッセージ表示すると共に、録画可否を問い合わせるメッセージを表示するようにしてもよい。この場合、録画データ格納部２３には、「チャンネル」、「録画中フラグ」、「録画日時」、「属性」、「番組情報」に続き、「映像・音声データ」が逐次記録される。なお、この番組の終了時刻を録画終了時刻とすることで当該録画動作を自動停止させるようにしている。
【００４０】
他方、今回のチャンネル切り替えは、録画データがあるチャンネルへの切り替えか、つまり、録画データ格納部２３を参照し、変更後のチャンネルに対応付けて録画データが格納されているかを判別し（ステップＢ１１）、録画データが格納されているチャンネルへの切り替えの場合には、録画有りを示すメッセージと共に、その再生要否を問い合わせる確認メッセージを表示出力させる（ステップＢ１２）。図９は、テレビ画面内にメッセージ画面が重ね合わせ表示された状態を示している。なお、このテレビ画面上にはタッチボタンとしての視聴ボタンＢＴ１、再生ボタンＢＴ２が設けられている。この状態でテレビ視聴を指示する視聴ボタンＢＴ１が操作された場合には（ステップＢ１３でＹＥＳ）、変更後のチャンネル（新チャンネル）の放送受信を開始すると共に（ステップＢ１４）、受信した映像データをメイン表示部１０から出力させ、音声データを内蔵スピーカ１６から出力させたのち（ステップＢ１５）、視聴時間計測処理に移り、メモリ４内の視聴時間タイマ２４をクリアスタートさせる（ステップＢ１６）。
【００４１】
録画再生を指示する再生ボタンＢＴ２が操作された場合には（ステップＢ１３でＮＯ）、録画データ格納部２３の「録画中フラグ」を参照し、現在録画中であるかを調べ（ステップＢ１７）、録画中であれば、その録画動作を継続しながらその録画内容を再生する追っかけ再生を開始させるが（ステップＢ１８）、録画中でなければ（ステップＢ１７でＮＯ）、その録画内容を通常速度で再生する通常再生を開始させる（ステップＢ１９）。なお、この追っかけ再生は、通常の再生速度に比べてやや速く、テレビ放送に追いついたときには、録画再生からテレビ受信出力（新チャンネル）に切り替えられる。このようなチャンネル切替処理が終了すると、図５のステップＡ４に戻る。
【００４２】
他方、ＣＭ検出タイミングに達した際には（ステップＡ１０でＹＥＳ）、ＣＭ検出処理に移る（ステップＡ１１）。
図７は、ＣＭ検出処理を詳述するためのフローチャートである。
先ず、ＣＰＵ１は、「条件成立フラグ」が“オン／オフ”をチェックし（ステップＣ１）、「条件成立フラグ」が“オン”されていれば、元のチャンネル（変更前のチャンネル）でのＣＭ放送が終了したかをチェックする（ステップＣ２）。いま、「条件成立フラグ」が“オフ”されていたり、ＣＭ放送中であれば、このＣＭ検出処理から抜けるが、ＣＭ放送の終了を検出した場合には、テレビ画面内にＣＭ放送終了を示すメッセージを表示出力させる（ステップＣ３）。
【００４３】
図１０は、ＣＭ放送終了のメッセージ画面を示し、元のチャンネルでのＣＭ放送の終了メッセージと、元チャンネルに切り替えるか現在のチャンネルのままにするかを問い合わせるための確認メッセージが表示出力される。なお、このテレビ画面上にはタッチボタンとしての視聴ボタンＢＴ３、切替ボタンＢＴ４が設けられている。ここで、現チャンネルのテレビ放送を視聴し続ける場合には視聴ボタンＢＴ３を操作し、元チャンネルに切り替える場合には切替ボタンＢＴ４を操作する。いま、視聴ボタンＢＴ３が操作された場合には（ステップＣ４でＹＥＳ）、図５のステップＡ４に戻るが、切替ボタンＢＴ４が操作された場合には（ステップＣ４でＮＯ）、図５のチャンネル切替処理（ステップＡ７）に移る。この場合、チャンネル切替処理では、録画データがあるチャンネルへの切り替えであることが検出されると共に、録画中であることが検出されるために当該録画内容の追っかけ再生が開始される。
【００４４】
以上のように、この第１実施例においてＣＰＵ１は、条件データ格納部２２に任意の条件が記憶されている状態において、チャンネル変更が指示された際に、この変更前のチャンネルが条件データ格納部２２に記憶されている条件を成立するかを判別し、条件が成立する場合には変更前のチャンネルの放送内容を録画する録画動作を開始することにより、一時的なチャンネル切り替えのように切り替え以降でも変更前のチャンネルの放送内容を視聴する蓋然性がある場合にそのチャンネルの録画動作を実行することができ、チャンネル切り替えに伴う弊害として、変更前の放送内容の見逃しなどを防止することができる。言い換えれば、チャンネル切り替えに伴う弊害を効果的に防止するためにチャンネル切り替え毎に録画を開始するのではなく、ユーザの視聴動向などに応じてユーザが必要と思われる場合に録画を開始することができ、消費電力、メモリ容量などの点でも有利なものとなる。
【００４５】
また、チャンネル変更が指示された際に条件が成立する場合には、変更前のチャンネル上でＣＭ終了の検出動作を実行し、その終了検出に応じてその旨を報知するメッセージ画面を表示することにより、ＣＭ放送の終了後、直ちに元のチャンネルに戻すことができる。この場合、チャンネル切り替え毎にＣＭ終了検出動作を開始するのではなく、ユーザの視聴動向などに応じてユーザが必要と思われる場合にＣＭ終了検出動作を開始することができる。この場合、チャンネル変更時に条件が成立しても変更前のチャンネル上でＣＭ放送中であれば、その録画を一時保留し、このＣＭが終了した時点で録画を開始するようにしたから、所謂ＣＭスキップが可能となる。
【００４６】
条件データ格納部２２に任意の「視聴時間」、「番組情報」を記憶するようにしたから、ユーザの視聴動向を考慮した条件設定が可能となる。この場合、「番組情報」としては「ジャンル名」、「番組名」などを詳細に設定することができる。また、「ＣＭ放送中」を条件としたから、ＣＭ放送中のチャンネル切り替えを一時的な切り替えとみなすことができる。更に、複数の条件の論理積によって条件成立有無を判断するようにしたから、録画対象などを大幅に絞り込むことができる。
また、変更前のチャンネルに戻された際には、録画動作を継続しながらその録画内容を再生する追っかけ再生を開始するようにしたから、再生時間を短くすることができ、再生終了後、現在放送中の受信出力に切り替えることが可能となる。
【００４７】
なお、上述した第１実施例においては、「番組情報」として「ジャンル名」、「番組名」を示したが、「放送日時」、「出演者名」などを条件とてもよい。「放送日時」は、希望する番組の開始日時と終了日時を示し、「出演者名」は、番組に登場する主な人物（俳優、歌手など）を示し、サッカーの場合には、両チームの代表選手などである。
また、上述した第１実施例においては、複数の条件の論理積によって条件の成立有無を判別するようにしたが、論理和条件であってもよく、また、複数の条件のうち、２以上の条件が一致した場合に、条件が成立したと判断するようにしてもよい。
【００４８】
また、録画データ格納部２３に大量のデータが蓄積されることを防ぐために、条件成立に伴って録画された録画データが一定時間（例えば、２日）以上経過しても未再生の場合には、録画データ格納部２３から当該録画データを削除するようにしてもよい。また、条件成立に伴って録画された録画データが再生された際には、その再生直後に当該録画データを削除するようにしてもよい。更には、録画データ格納部２３の内容を一覧表示させ、不必要なデータをユーザ選択によって削除するようにしてもよい。
（実施例２）
【００４９】
以下、この発明の第２実施例について図１１〜図１４を参照して説明する。
なお、上述した第１実施例においては、条件データとして「視聴時間」、「番組情報：ジャンル名、番組名など」、「ＣＭ放送中」を記憶すると共に、チャンネルの切り替え変更が指示された際に、これらの条件が成立している場合には、変更前のチャンネルの放送番組を録画するようにしたが、この第２実施例においては、条件データとして「視聴時間」のほか、「視聴時間帯」を記憶しておき、チャンネルの切り替え変更が指示された際に、これらの条件が成立している場合には、変更前後のチャンネルの放送番組を同時に出力するようにしたものである。また、第２実施例は、ＣＭ放送中にチャンネル変更が行われたのち、変更前のチャンネルでＣＭ放送が終了したかを検出する検出動作によってＣＭ放送の終了が検出された際に、変更前のチャンネルに自動復帰させるようにしたものである。ここで、両実施例において基本的あるいは名称的に同一のものは、同一符号を付して示し、その説明を省略すると共に、以下、第２実施例の特徴部分を中心に説明するものとする。
【００５０】
図１１は、第２実施例における条件データ格納部２２の内容を示した図である。
条件データ格納部２２は、チャンネル切り替え変更が指示された際に変更前のチャンネルの放送内容をそれ以降も視聴する蓋然性があるか否かを判定するための判定条件を格納するもので、条件データとしては、上述した第１実施例と同様の「視聴時間」のほか、「視聴時間帯」が記憶されている。この「視聴時間帯」は、ユーザ自身の日常生活でテレビ視聴の可能性が高い時間帯を任意に設定したもので、図示の例では、“１９時００分〜２１時００分”を設定した場合である。
【００５１】
次に、この第２実施例における特徴部分を図１２及び図１３に示すフローチャートを参照して説明する。図１２は、第２実施例におけるチャンネル切替処理を詳述したフローチャートであり、図１３は、第２実施例におけるＣＭ検出処理を詳述するためのフローチャートである。なお、テレビ放送視聴機能が起動されて視聴開始が指示された際には図５のフローチャートが実行開始される。
ここで、チャンネルの切り替えが指示された場合には、図１２のフローチャートに示すチャンネル切替処理が実行開始される。先ず、ＣＰＵ１は、チャンネル切り替え操作に応答して視聴時間タイマ２４の計測動作を終了させたのち（ステップＤ１）、変更後のチャンネル（新チャンネル）のテレビ放送受信を開始する（ステップＤ２）。
【００５２】
そして、条件データ格納部２２から「視聴時間」を読み出すと共に、視聴時間タイマ２４からその計測時間を取得して、この計測時間は「視聴時間」以上かをチェックする（ステップＤ３）。この結果、視聴時間が記憶時間以上であれば、条件データ格納部２２から「視聴時間帯」を読み出すと共に、ＲＴＣ１７から現在時刻を読み出し、現在時刻は「視聴時間帯」に属しているかをチェックし（ステップＤ４）、視聴時間帯であれば、条件成立を検出する。
【００５３】
このように条件成立を検出すると、変更前のチャンネルはＣＭ放送中であるかを調べ（ステップＤ５）、ＣＭ放送中でなければ、変更前後の２チャンネル分の放送内容を同時に出力させるが（ステップＤ６）、ＣＭ放送中であれば、ＣＭ放送が終了するまで２チャンネル分の同時出力を保留するために、「条件成立フラグ」をメモリ４に保持して（ステップＤ７）。そして、変更後のチャンネルの視聴時間を計測するために、視聴時間計測処理（ステップＤ８）に移り、メモリ４内の視聴時間タイマ２４をクリアスタートさせる。
【００５４】
図１４は、第２実施例のテレビ画面を示し、２チャンネル分の放送を同時出力するときのテレビ画面である。
このテレビ画面の主画面Ｍには、変更後のチャンネルの放送映像が表示出力され、副画面Ｓには、変更前のチャンネルの放送映像が表示出力される。すなわち、ＣＰＵ１は、変更後のチャンネルと共に変更前のチャンネルの放送映像を並列表示させる並行動作を実行させる。なお、変更後のチャンネルの音声データを内蔵スピーカ１６から出力させ、変更前のチャンネルの音声データを受話スピーカ７から出力させるようにしてもよいが、変更前のチャンネルの音声出力を禁止するようにしてもよく、何れかの音声出力方法をユーザが任意に選択可能としてもよい。
【００５５】
また、テレビ画面には、タッチボタンとしての視聴ボタンＢＴ５、切替ボタンＢＴ６が設けられており、変更後のチャンネルのテレビ放送を視聴し続ける場合には視聴ボタンＢＴ５を操作し、元のチャンネル（条件一致チャンネル）に切り替える場合には切替ボタンＢＴ６を操作する。いま、切替ボタンＢＴ６が操作された場合には（ステップＤ９でＹＥＳ）、上述のステップＤ１に戻るが、視聴ボタンＢＴ５が操作された場合には（ステップＤ９でＮＯ）、このチャンネル切替処理から抜け、図５のステップＡ４に戻る。
【００５６】
一方、上述の条件判断ステップＤ３、Ｄ４のうち、その何れかで“ＮＯ”と判断された場合、つまり、視聴時間未満の場合（ステップＤ３でＮＯ）あるいは視聴時間帯から外れている場合には（ステップＤ４でＮＯ）、条件不成立として認識し、変更前のチャンネルの放送受信を終了させると共に（ステップＤ１０）、変更後のチャンネルの放送出力を開始させる（ステップＤ１１）。そして、変更後のチャンネルの視聴時間を計測するために、視聴時間計測処理（ステップＤ１２）に移り、メモリ４内の視聴時間タイマ２４をクリアスタートさせる。
【００５７】
ここで、ＣＭ検出タイミングに達すると、図１３のフローチャートに示すＣＭ検出処理が実行開始される。
先ず、ＣＰＵ１は、元のチャンネル（変更前のチャンネル）上でＣＭ放送中かをチェックし（ステップＥ１）、ＣＭ放送中でなければ、このＣＭ検出処理から抜けるが、ＣＭ放送中であれば、ＣＭ放送が終了したかをチェックする（ステップＥ２）。ここで、ＣＭ放送の終了を検出した際には、上述した「条件成立フラグ」がセットされているか否かをチェックし（ステップＥ３）、「条件成立フラグ」がセットされていれば、上述と同様に、変更前後の２チャンネル分の放送内容を同時に出力させる（ステップＥ４）。
【００５８】
この場合においても、図１４に示すようにテレビ画面の主画面Ｍには、変更後のチャンネルの放送映像が表示出力され、副画面Ｓには、変更前のチャンネルの放送映像が表示出力される。ここで、切替ボタンＢＴ６が操作された場合には（ステップＥ５でＹＥＳ）、チャンネル切替処理（図５のステップＡ７）に移り、視聴ボタンＢＴ５が操作された場合には（ステップＥ５でＮＯ）、このチャンネル切替処理から抜け、図５のステップＡ４に戻る。
【００５９】
以上のように、この第２実施例においては、条件データとして「視聴時間」のほかに、「視聴時間帯」を記憶することができ、ユーザの生活様式などを考慮した条件設定が可能となる。また、チャンネルの切り替え変更が指示された際に、「視聴時間」、「視聴時間帯」の条件成立に応じて変更前後のチャンネルの同時出力を開始するようにしたから、２チャンネル分の放送内容を並列的に視聴することができる。この場合、変更後のチャンネル放送映像を主画面に出力させ、変更前のチャンネル放送映像を副画面に表示される。
【００６０】
なお、上述した第２実施例においては、テレビ画面の主画面上に副画面を重ね合わせて合成表示するようにしたが、このテレビ画面を２分割し、各分割画面内に変更前後の放送内容を並列表示するようにしてもよい。
また、上述した第２実施例において「視聴時間帯」としては、単なる時間に限らず、曜日を含めたり、日付などを含めるようにしてもよい。例えば、“火曜日〜木曜日の１９時００分〜２１時００分”、“月曜日、金曜日の２２時００分〜２３時００分”を「視聴時間帯」として記憶してもよい。また、条件データ格納部２２は、上述した第１実施例と同様に複数の条件レコードを記憶可能な構成としてもよい。
【００６１】
上述した第１及び第２実施例においては、テレビ放送を受信出力時に、条件データを記憶するようにしたが、この条件データの記憶タイミングは任意であり、テレビ放送を受信出力と切り離して記憶可能である。また、条件成立時に変更前のチャンネルがＣＭ放送中であれば、そのＣＭ放送が終了するまでその番組の録画動作を保留したり、２チャンネル分の同時出力を保留しておき、このＣＭ放送が終了した時点で保留中の録画動作／同時出力を開始するようにしてもよい。
【００６２】
また、第１及び第２実施例においては、変更前のチャンネルでＣＭ放送が終了した際に確認メッセージを表示させ、現在チャンネルの放送を視聴し続ける場合には視聴ボタンを操作し、元のチャンネルに切り替える場合には切替ボタンの操作を要求するようにしたが、このような確認メッセージを表示せず、つまり、特別な操作を要求することなく、変更前のチャンネル（元のチャンネル）に自動復帰させるようにしてもよい。この際、自動復帰機能のオン／オフを任意に設定可能としてもよい。
【００６３】
また、第１及び第２実施例においては、２つのテレビ放送受信チューナ１３、１４を設けたが、チューナ数は３つ以上であってもよい。  
その他、携帯電話装置に限らず、例えば、テレビチューナ付きのＰＤＡ・電子カメラ・電子腕時計・音楽再生機などの携帯端末装置であっても同様に適用可能であり、更に、携帯端末装置に限らず、テレビチューナ付きのパーソナルコンピュータなどであってもよく、更にはテレビ専用機であってもよい。
【図面の簡単な説明】
【００６４】
【図１】携帯端末装置として適用したテレビ放送視聴機能付きの携帯電話装置の基本的な構成要素を示したブロック図。
【図２】受信データ格納部２１の内容を示した図。
【図３】条件データ格納部２２の内容を示した図。
【図４】録画データ格納部２３の内容を示した図。
【図５】テレビ放送視聴機能が起動されて視聴開始が指示された際に実行されるテレビ放送視聴時の動作を示したフローチャート。
【図６】図５で示したチャンネル切替処理を詳述するためのフローチャート。
【図７】図５で示したＣＭ検出処理を詳述するためのフローチャート。
【図８】条件データの設定画面であり、（Ａ）は、視聴時間の設定画面、（Ｂ）は、番組情報の設定画面、（Ｃ）は、ジャンル名の設定画面を示した図。
【図９】テレビ画面内にメッセージを重ね合わせ表示した場合を示した図。
【図１０】ＣＭ放送終了のメッセージ画面を示した図。
【図１１】第２実施例における条件データ格納部２２の内容を示した図。
【図１２】第２実施例におけるチャンネル切替処理を詳述したフローチャート。
【図１３】第２実施例におけるＣＭ検出処理を詳述するためのフローチャート。
【図１４】第２実施例のテレビ画面を示し、テレビ画面の主画面Ｍに変更後のチャンネルの放送映像が表示出力され、副画面Ｓに変更前のチャンネルの放送映像が表示出力された状態を示した図。
【符号の説明】
【００６５】
１  ＣＰＵ
２  記憶部
５  電話通信部
１０、１１  表示部
１２  キー操作部
１３、１４  テレビ放送受信チューナ
１６  内蔵スピーカ
１７  ＲＴＣ
２１  受信データ格納部
２２  条件データ格納部
２３  録画データ格納部
２４  視聴時間タイマ
【図１】
2007288583.tif 000003
【図２】
2007288583.tif 000004
【図３】
2007288583.tif 000005
【図４】
2007288583.tif 000006
【図５】
2007288583.tif 000007
【図６】
2007288583.tif 000008
【図７】
2007288583.tif 000009
【図８】
2007288583.tif 000010
【図９】
2007288583.tif 000011
【図１０】
2007288583.tif 000012
【図１１】
2007288583.tif 000013
【図１２】
2007288583.tif 000014
【図１３】
2007288583.tif 000015
【図１４】
2007288583.tif 000016